(57)【要約】      （修正有）【課題】紙の辺から遠い位置に綴じ針を打ち込むことができる綴じ針打ち込み用ホチキス補助具を提供する。【解決手段】細長い下板４に、両端には垂直に立てたガイド棒５を、中央部には一個から数個の鋳型１をそれぞれ設け、細長い上板３に、両端にはガイド穴６を、中央部には鋳型１と同数の上顎受け２をそれぞれ設け、ガイド穴６にガイド棒５を通して、上板３を下板４に装着したとき、上顎受け２が、それぞれに対応する鋳型１の真上に位置するようにした。【選択図】図１
0003154052.tif 000002
【実用新案登録請求の範囲】
【請求項１】
綴じ針の鋳型（１）とホチキスの上顎受け（２）を設けた、従来のホチキスの上顎のみを用いて紙を綴じる、ホチキスの機能を補助する器具。
【考案の詳細な説明】
【技術分野】
【０００１】  この考案は、従来のホチキスを用いて、紙の辺から遠い位置に綴じ針を打ち込み、紙を綴じるための器具に関するものである。
【背景技術】
【０００２】  従来のホチキス（ステープラー、ホッチキスともいう）は、折れ曲がった綴じ針の両端を、重ねた紙に打ち込み、裏面に突き出た両端の針先を内側に折り倒して、紙を綴じ合わせるための器具である。その構造は、綴じ針の打ち出し口を備えた上顎の部分と、針先を受け止め内側に折り込むための鋳型を備えた下顎の部分からなり、番目（関節部分）で上下二つの顎を連結している。
【考案の開示】
【考案が解決しようとしている課題】
【０００３】  家庭で使われるホチキスには次のような欠点があった。綴じる紙の辺と綴じ針を打ち込む位置との距離が、綴じ針の打ち出し口と番目との距離より短くなければ、紙を折り曲げない限り、針を打ち込むことはできなかった。綴じ針の打ち出し口の向きを９０度回転させることができ、都合の良い方向から針を打つことができるホチキスもあるが、これとても同様である。大判の紙の中央付近に針を打ち込むには不向きであった。これらの欠点を満足するにはホチキス自体が大掛かりな構造となり、工業的な製本機械としては適していても、家庭用の器具としては不向きであった。本考案はこれらの欠点を補い、家庭に普及している最も簡素な従来のホチキスを用い、紙の辺から遠い位置に綴じ針を打ち込むための器具である。
【課題を解決するための手段】
【０００４】  綴じる紙（７）の裏側に、綴じ針の針先を受け止める鋳型（１）を、従来のホチキスに備わっているものとは別に用意する。従来のホチキスを、番目（１０）で上顎（８）と下顎（９）とが一直線状になるように開き、上顎（８）のみを利用する。そして、一直線状に開いたホチキスの上顎（８）を掴んで、用意した鋳型（１）の真上の部分に、紙の上から綴じ針を打ち込む。この際、紙をまたいで鋳型（１）と連結したコの字形の上顎受け（２）を設け、針先がちょうど鋳型（１）に落ちるべく打ち込む位置が正確に定まるようにする。本考案は、以上のような構造でホチキスの上顎（８）のみを用い、紙の辺から遠い位置に綴じ針を打ち込むための、ホチキスの機能を補助するものである。
【考案の効果】
【０００５】  綴じる紙（７）を、鋳型（１）と上顎受け（２）の間に挿入する。そして、ホチキスを一直線状に開き、上顎（８）の綴じ針の打ち出し口を上顎受け（２）にあてがい、押し付ける。そうすれば綴じ針の打ち出し口から打ち出された針先が紙面を突き抜け、下の鋳型（１）に入り、針先を内側に折り倒して紙を綴じ合わせることができる。折り曲げていない紙のどのような位置にもホチキスの綴じ針を打ち込むことができる。さらに、数枚の紙を中央線上で綴じることで、容易に製本することができる。この際、大判の紙でも中央部にも綴じ針を打つことができるので、頑強な製本ができる。本考案は構造が簡易であるために、生産が容易で、極めて安価な製品を提供できる。
【考案を実施するための最良の形態】
【０００６】  以下、本考案を実施するための最良の形態について説明する。一個から数個の金属製の鋳型（１）を備えた下板（４）を設ける。下板（４）の両端には固定したガイド棒（５）を立てる。そして、鋳型（１）と同数のコの字形の上顎受け（２）を備えた上板（３）を設ける。上板（３）の両端にはガイド棒（５）に通すための、ガイド穴（６）を設ける。ガイド穴（６）にガイド棒（５）を通して下板（４）に上板（３）を装着したとき、鋳型（１）の真上に、それぞれに対応した上顎受け（２）がくるようにする。下板（４）上板（３）ともに、日常頻繁に使う紙の長さより十分に長いものとする。本考案は以上のような構造である。
【図面の簡単な説明】
【０００７】
【図１】本考案の斜視図である。
【図２】本考案の上面図である。
【図３】本考案の正面図である。点線はガイド穴（６）の透視を表す。
【図４】本考案の側面図である。点線はガイド穴（６）の透視を表す。
【図５】本考案を用いて、紙を綴じるときの斜視図である。
【符号の説明】
【０００８】    １  鋳型
２  上顎受け
３  上板
４  下板
５  ガイド棒
６  ガイド穴
７  綴じる紙
８  （従来のホチキスの）上顎
９  （従来のホチキスの）下顎
１０（従来のホチキスの）番目
【図１】
0003154052.tif 000003
【図２】
0003154052.tif 000004
【図３】
0003154052.tif 000005
【図４】
0003154052.tif 000006
【図５】
0003154052.tif 000007
【手続補正書】
【提出日】平成21年7月2日(2009.7.2)
【手続補正１】
【補正対象書類名】実用新案登録請求の範囲
【補正対象項目名】全文
【補正方法】変更
【補正の内容】
【実用新案登録請求の範囲】
【請求項１】
細長い下板（４）に、両端には垂直に立てたガイド棒（５）を、中央部には一個から数個の鋳型（１）をそれぞれ設け、
細長い上板（３）に、両端にはガイド穴（６）を、中央部には鋳型（１）と同数の上顎受け（２）をそれぞれ設け、
ガイド穴（６）にガイド棒（５）を通して、上板（３）を下板（４）に装着したとき、上顎受け（２）が、それぞれに対応する鋳型（１）の真上に位置するようにした、
綴じ針打ち込み用ホチキス補助具
【手続補正２】
【補正対象書類名】明細書
【補正対象項目名】０００４
【補正方法】変更
【補正の内容】
【０００４】  綴じる紙（７）の下側に、綴じ針の針先を受け止め折り曲げるための鋳型（１）を、ホチキスの下顎（９）に備わっているものとは別に用意する。
そして、ホチキスを番目（１０）で上顎（８）と下顎（９）とが一直線状になるように開き、ホチキスの上顎（８）を掴んで、用意した鋳型（１）の真上の部分に、紙の上から綴じ針を打ち込む。
この際、ホチキスの上顎を受け止めるためコの字形の窪みである上顎受け（２）を、綴じる紙（７）を挟んで上側に設け、針先がちょうど鋳型（１）に落ちるべく、打ち込む位置が正確に定まるようにする。
このようにすれば、紙のどのような位置にも綴じ針を打ち込むことができる。
以上を目的として、本考案は以下の構造からなる。
本考案は分離可能な二枚の細長い板状の部材である下板（４）と上板（３）とからなる。
下板（４）と上板（３）にはそれぞれ以下に列挙する構造を設ける。
下板（４）の両端には垂直に立つ突起であるガイド棒（５）をもうける。
下板（４）の中央部には一個から数個の、綴じ針の針先を受け止め折り曲げるための金属製の鋳型（１）を設ける。
上板（３）の両端にはガイド棒（５）を通すためのガイド穴（６）を設ける。
上板の（３）中央部には、ホチキスの上顎を受け止めるためのコの字型の窪みである上顎受け（２）を鋳型（１）と同数設ける。
ここで、上顎受け（２）の位置は、ガイド穴（６）にガイド棒（５）を通して、上板（３）を下板（４）に装着したとき、上顎受け（２）が、それぞれに対応する鋳型（１）の真上に位置するようにする。
本考案は以上の構造からなる綴じ針打ち込み用ホチキス補助具である。